(57)【要約】【課題】侵入者による屋内への侵入を未然にかつ確実に防止するとともに、建造物の開閉部の損傷を可及的に防止する防犯装置を提供する。【解決手段】防犯装置１は、屋外地面１０５下の押圧部３と、その鉛直下方に配設されるスイッチ６と、スイッチ６を載置するスイッチ載置部５と、押圧部３とスイッチ載置部５との間に介在され、押圧部３を鉛直上方に向け付勢する付勢手段１１と、屋外に向け警告音を発する警報装置と、屋外に向け威嚇光を発する威嚇発光装置と、屋内に向け通報音を発する侵入通報装置とを具え、押圧部３は鉛直上方から押圧されると付勢手段１１の付勢力に抗して鉛直下方に移動してスイッチ６を押圧し、該押圧によりスイッチ６は前記警報装置、前記威嚇発光装置及び前記侵入通報装置を駆動する。【選択図】図２
0003110309.tif 000002
【実用新案登録請求の範囲】
【請求項１】
侵入者による屋内への侵入を防止する防犯装置において、
屋外地面下に配設される押圧部と、
該押圧部の鉛直下方に配設されるスイッチと、
該スイッチを載置するスイッチ載置部と、
前記押圧部と前記スイッチ載置部との間に介在され、前記押圧部を鉛直上方に向け付勢する付勢手段と、
前記スイッチに連結され前記屋外に向け警告音を発する警報装置と、
前記スイッチに連結され前記屋外に向け威嚇光を発する威嚇発光装置と、
前記スイッチに連結され前記屋内に向け通報音を発する侵入通報装置
とを具え、
前記押圧部は鉛直上方から押圧されると前記付勢手段の付勢力に抗して鉛直下方に移動して前記スイッチを押圧し、該押圧により前記スイッチは前記警報装置、前記威嚇発光装置及び前記侵入通報装置を駆動するようにしたことを特徴とする防犯装置。
【請求項２】
前記押圧部は、３０Ｋｇ以上の加重により、前記付勢手段の付勢力に抗して鉛直下方に移動して前記スイッチを押圧するようにしたことを特徴とする請求項（１）記載の防犯装置。
【請求項３】
前記付勢手段の両端にはワッシャパネルが固定され、
前記付勢手段は、前記ワッシャパネルを介して前記押圧部を付勢するようにしたことを特徴とする請求項（１）記載の防犯装置。
【請求項４】
前記付勢手段の両端には六角ネジが係合し、
前記付勢手段は、前記六角ネジを介して前記押圧部を付勢するようにしたことを特徴とする請求項（１）記載の防犯装置。
【請求項５】
前記付勢手段は、前記スイッチを挟んで一対に配設され、かつ該一対の付勢手段は前記スイッチと同一線上に配置されていることを特徴とする請求項（１）記載の防犯装置。
【請求項６】
前記押圧部が配設された蓋体と、
該蓋体によって開閉自在に覆われる凹部であって、前記スイッチ載置部を形成する凹部とを具え、
前記凹部に、前記スイッチと前記付勢手段を配設するようにしたことを特徴とする請求項（１）記載の防犯装置。
【請求項７】
前記付勢手段は、前記スイッチに対して一側に一対配設され、
前記蓋体は、前記スイッチに対して他側に位置する前記凹部に、軸を介して回動自在に支承されるようにしたことを特徴とする請求項（６）記載の防犯装置。
【考案の詳細な説明】
【技術分野】
【０００１】
本考案は、侵入者による屋内への侵入を防止する防犯装置に関する。
【背景技術】
【０００２】
建造物の開閉部には、通常、ガラス窓、ハメ殺し窓、はき出し窓、天窓、ジャーロージー窓（以下、単に「窓」という。）が配設されている。  このような開閉部の窓は侵入者の侵入口となり得る。  
そこで、従来から、侵入者による建造物内（以下、「屋内」という。）への侵入を防止する防犯装置が提案されている。
【０００３】
たとえば、従来の防犯装置には、窓枠に配設されたセンサと、該センサに連結された侵入通報ブザーとを具えた防犯装置がある。  
この従来の防犯装置では、窓に取り付けられたガラスが壊されたり、あるいは窓の施錠があけられたりしたことを前記センサによって検知し、該検知により侵入者が屋内に侵入したと判断して前記侵入通報ブザーを鳴らす。そのため、該侵入通報ブザーを聞いた侵入者は、自らの侵入が検知されたことを察知し、これにより開閉部からの屋内への侵入を中止する。したがって、この従来の防犯装置によると、屋内への侵入を可及的に防止することができる。
【０００４】
また、従来の防犯装置には、ディフェンスフィルムと呼ばれる積層フィルムからなるものがある。  
このディフェンスフィルムは、開閉部の窓の前記ガラスに貼り付けて使用されるもので、ディフェンスフィルムを前記ガラスに貼り付けると、ガラス片の飛散を防止しガラスを割れにくくできる。そのため、このディフェンスフィルムによると、前記ガラスへの直接的な破壊行為を可及的に防止して防犯効果を図ることができる。
【考案の開示】
【考案が解決しようとする課題】
【０００５】
ところで、従来の防犯装置のうち、センサと侵入通報ブザーとを具えてなる従来の防犯装置は、侵入者が屋内に侵入する時点で作動するものであるから、侵入通報ブザーを聞いた建造物の居住者がその侵入を認識するのが遅くなり、そのため侵入を防止できないことがあるという問題や、侵入によって開閉部の窓に取り付けられたガラス等が損傷するという問題があった。
【０００６】
また、防犯装置がディフェンスフィルムからなる場合、該ディフェンスフィルムはハンマー等で同一場所を何度か打つと損傷するため、屋内への侵入を防止できないという問題や、開閉部の窓の前記ガラス等が損傷するという問題があった。  
上述した事情に鑑み、本考案は、侵入者による屋内への侵入を未然にかつ確実に防止するとともに、建造物の開閉部の損傷を可及的に防止する防犯装置を提供することを目的とする。
【課題を解決するための手段】
【０００７】
上述した課題を解決するため、本考案の防犯装置は、侵入者による建造物の屋内への侵入を防止する防犯装置において、屋外地面下に配設される押圧部と、該押圧部の鉛直下方に配設されるスイッチと、該スイッチを載置するスイッチ載置部と、前記押圧部と前記スイッチ載置部との間に介在され、前記押圧部を鉛直上方に向け付勢する付勢手段と、前記スイッチに連結され前記屋外に向け警告音を発する警報装置と、前記スイッチに連結され前記屋外に向け威嚇光を発する威嚇発光装置と、前記スイッチに連結され前記屋内に向け通報音を発する侵入通報装置とを具え、前記押圧部は鉛直上方から押圧されると前記付勢手段の付勢力に抗して鉛直下方に移動して前記スイッチを押圧し、該押圧により前記スイッチは前記警報装置、前記威嚇発光装置及び前記侵入通報装置を駆動するようにしている。
【考案の効果】
【０００８】
本考案の防犯装置は、侵入者による建造物の屋内への侵入を防止する防犯装置において、屋外地面下に配設される押圧部と、該押圧部の鉛直下方に配設されるスイッチと、該スイッチを載置するスイッチ載置部と、押圧部とスイッチ載置部との間に介在され、押圧部を鉛直上方に向け付勢する付勢手段と、スイッチに連結され屋外に向け警告音を発する警報装置と、スイッチに連結され屋外に向け威嚇光を発する威嚇発光装置と、スイッチに連結され屋内に向け通報音を発する侵入通報装置とを具え、押圧部は鉛直上方から押圧されると付勢手段の付勢力に抗して鉛直下方に移動してスイッチを押圧し、該押圧によりスイッチは警報装置、威嚇発光装置及び侵入通報装置を駆動するようにしているから、侵入する者は防犯装置を回避することができず、その押圧部を踏み込むこととなり、またこの踏み込みにより、該侵入する者が建造物に達する前に、該侵入する者への警告及び威嚇及び建造物の居住者への通報を行うことができる。そのため、侵入者による屋内への侵入を未然にかつ確実に防止するとともに、建造物の開閉部の損傷を可及的に防止することができる。
【考案を実施するための最良の形態】
【０００９】
本考案の防犯装置について、以下の実施例で詳述する。
【実施例１】
【００１０】
図１は、建造物とその周辺に配置された第一実施例の防犯装置と第二実施例の防犯装置とを示す概念斜視図である。  
図１の建造物１０１には、複数の開閉部１０２が形成されており、その各開閉部には、窓が配設されている。
【００１１】
一方、第一実施例の防犯装置１及び第二実施例の防犯装置５１は、いずれも侵入者による開閉部１０２からの建造物１０１内（以下、「屋内」という。）への侵入を防止する防犯装置である。  
まず、このうちの第一実施例の防犯装置１について、以下説明する。  
図２は、図１に示した第一実施例の防犯装置のＡＡ概念断面図であって、該防犯装置の動作状態を示す図である。特に図２（ａ）は初期状態の様子を示す図であり、図２（ｂ）は押圧部が押圧された様子を示す図である。なお、図２及び後述する図３では、図１と同一部分を同一符号で示している。
【００１２】
図２（ａ）で示すように、第一実施例の防犯装置１は、建造物１０１外（以下、「屋外」という。）の地面１０５の下に配設される押圧部３と、該押圧部３の鉛直下方に配設されるスイッチ６と、該スイッチ６を載置するスイッチ載置部５と、押圧部３とスイッチ載置部５との間に介在された付勢手段１１と、図示せぬ警報装置、図示せぬ威嚇発光装置と、図示せぬ侵入通報装置とを具えている。
【００１３】
このうち、押圧部３は、凹部７を開閉自在に覆う蓋体４に配設されている。この押圧部３は、蓋体４の上面内側にされている。また、この押圧部３は、蓋体４に突設されている。また、蓋体４は地面１０５の下に配設されている。    
また、スイッチ載置部５は、凹部７の底面によって形成されている。
【００１４】
図３は、第一実施例の防犯装置の分解組み立て拡大斜視図である。  
図３で示すようにスイッチ６と付勢手段１１は、凹部７に配設されている。  
また、スイッチ６は、ケーブル１２を介してＡＣ電源（１００Ｖ）に連結されており該電源から電力供給を受ける。
【００１５】
また、スイッチ６には、ケーブル１４を介して前記警報装置が連結されている。この警報装置は屋外に配設されている。また、この警報装置はスイッチの駆動により屋外に向け発音する。なお発音される警報音は１０５ｄＢ／ｍに設定されている。
【００１６】
また、スイッチ６には、ケーブル１５を介して前記威嚇発光装置が連結されている。この威嚇発光装置は屋外に配設されている。またこの威嚇発光装置は、スイッチの駆動により屋外に向け発光するフラッシュライトである。なお、このフラッシュライトは１８００Ｗのハロゲンライトから構成されている。
【００１７】
また、スイッチ６には、ケーブル１６を介して上記侵入通報装置が連結されている。この侵入通報装置は屋内に配設されている。また、この侵入通報装置は、屋内に向け発音する室内ブザーである。なお、発音されるブザーのアラーム音は、８０ｄＢ／ｍに設定されている。
【００１８】
また、付勢手段１１は、スイッチ６を挟んで一対に配設されている。この各付勢手段１１は、コイルスプリングから構成されている。また、各付勢手段１１の両端には、ワッシャパネル１０が固定されている。また、各付勢手段１１の一端は、ワッシャパネル１０を介してスイッチ載置部５に対し固定されている。また、各付勢手段１１の他端側にあるワッシャパネル１０は固定されていない。  
また、一対の付勢手段１１はスイッチ６と同一線上に配置されている。
【００１９】
なお、図２及び図３では、ワッシャパネル１０を簡略化して図示している。
【００２０】
次に、この防犯装置１の動作について説明するとともに、防犯装置１のより詳細な構造について説明する。  
図２（ａ）で示す初期状態において、蓋体４は凹部７を覆っている。また、蓋体４及び押圧部３は屋外の地面１０５下に配置され、スイッチ６は押圧部３の鉛直下方に配設されている。また、各付勢手段１１は押圧部３を鉛直上方に向け付勢している。また、その付勢はワッシャパネル１０を介して行われる。
【００２１】
このような初期状態において、図２（ｂ）で示すように、開閉部１０２から屋内へ侵入しようとする者が押圧部３を鉛直上方から踏み込むと、押圧部３に対しては、３０Ｋｇ以上の加重が鉛直方向上方から加えられるとなる。
【００２２】
このように３０Ｋｇ以上の加重が鉛直上方から加えられると、付勢手段１１の付勢力に抗して押圧部３が鉛直上方から押圧されて鉛直下方に移動してスイッチ６を押圧する。  
この押圧によりスイッチ６はケーブル１４を介して前記警報装置を駆動するとともに、ケーブル１５を介して前記威嚇発光装置を駆動する。そしてこの警報装置の駆動により、該警報装置は屋外に向け警報音を発音する。また前記威嚇装置の駆動により、該威嚇発光装置は、屋外に向け発光する。  
この警報装置による発音と威嚇発光装置の発光により、侵入する者は自らの侵入が検知されたことを察知するので、これにより開閉部１０２からの屋内への侵入を中止する。  
また、上述した警報装置による発音と威嚇発光装置の発光は侵入する者が建造物１０１に達する前の時点で行われるから、侵入者による屋内への侵入を未然に防止することができるとともに、建造物１０１の開閉部１０２の損傷を可及的に防止することができる。
【００２３】
また、上述した押圧によるスイッチ６の駆動により、前記侵入通報装置も駆動し、これにより建造物１０１内に向け発音がされる。  
そのため、建造物１０１の居住者は開閉部１０２からの建造物１０１内へ侵入する者の動作を認識できる。また、この侵入通報装置による発音は、侵入する者が建造物１０１に達する前の時点で行われるから、建造物１０１の居住者は、従来に比し短時間で侵入する者の動作を認識することができ、これにより、侵入者による屋内への侵入を未然にかつ確実に防止するとともに、建造物１０１の開閉部１０２の損傷を可及的に防止することができる。
【００２４】
なお、侵入者による押圧部３の踏み込みが解除された場合、すなわち押圧部３への加重が解除された場合には、スイッチ６の押圧が解除され、これにより防犯装置１は初期状態に復帰する。なお、この初期状態への復帰により前記警報装置の発音、前記威嚇発光装置の発光及び前記侵入通報装置の発音は解除される。
【００２５】
また、この第一実施例の防犯装置１の初期状態では、図1で示すように、その押圧部３又は蓋体４は地面１０５の下に配置されているので、建造物１０１の開閉部１０２に窓から侵入する者は、この防犯装置1を目視することができない。そのため、該侵入する者は防犯装置１を回避することができない。  
そのため、この第一実施例の防犯装置１では、侵入者による屋内への侵入を確実に防止することができる。
【００２６】
また、この第一実施例の防犯装置１では、上述したように３０Ｋｇ以上の加重が付勢手段１１の付勢力に抗して鉛直上方から押圧部３に加えられた場合、該押圧部３がスイッチ６を押圧することとしている。この３０Kｇ以上とは、人間の動体活動による行動力学負荷体重比が基にした値である。すなわち、人間が侵入する場合、その体重移動によって、押圧部３は３０Kｇ以上の加重が鉛直上方から加わると考えられる。  
したがって、押圧部３の踏み込みによる体重移動によって、通常、３０Kｇより少ない加重しか与えることのない猫などの小動物（人間より体重の軽い小動物）によって、誤ってスイッチ６が駆動して、前記警報装置による発音、前記威嚇発光装置による発光及び前記侵入通報装置による発音がされることは可及的に防止される。
【００２７】
以上で説明したように、本考案の第一実施例の防犯装置1は、侵入者による建造物１０１の屋内への侵入を防止する防犯装置において、屋外地面１０５下に配設される押圧部３と、該押圧部３の鉛直下方に配設されるスイッチ６と、該スイッチ６を載置するスイッチ載置部５と、押圧部３とスイッチ載置部５との間に介在され、押圧部３を鉛直上方に向け付勢する付勢手段１１と、スイッチ６に連結され前記屋外に向け警告音を発する警報装置と、スイッチ６に連結され前記屋外に向け威嚇光を発する威嚇発光装置と、スイッチ６に連結され前記屋内に向け通報音を発する侵入通報装置とを具え、押圧部３は鉛直上方から押圧されると付勢手段１１の付勢力に抗して鉛直下方に移動してスイッチ６を押圧し、該押圧によりスイッチ６は前記警報装置、前記威嚇発光装置及び前記侵入通報装置を駆動するようにしたから、侵入する者は防犯装置１を回避することができず、その押圧部３を踏み込むこととなり、またこの踏み込みにより、該侵入する者が建造物１０１に達する前に、該侵入する者への警告及び威嚇及び建造物１０１の居住者への通報を行うことができる。そのため、侵入者による屋内への侵入を未然にかつ確実に防止するとともに、建造物１０１の開閉部１０２の損傷を可及的に防止することができる。
【００２８】
また、この第一実施例の防犯装置１では、付勢手段１１の両端にワッシャパネル１０を固定し、付勢手段１１がワッシャパネル１０を介して押圧部３を付勢するようにしているから、押圧部３を付勢する付勢力が増強し、これにより一度踏み込まれた押圧部３は初期状態に確実に復帰できる。
【００２９】
また、この第一実施例の防犯装置１では、付勢手段１１はスイッチ６を挟んで一対に配設され、かつ該一対の付勢手段１１はスイッチ６と同一線上に配置されているから、特に侵入する者が両足で押圧部３を挟んだ両側を踏み込んだ場合（両足を揃えている場合及び両足のうち一方の足が他方の足より前に踏み出している場合を含む。）には、その踏み込みによって確実にスイッチ６を押圧することができ、これにより確実に前記警報装置、威嚇発光装置及び侵入通報装置がそれぞれ駆動されることとなる。  
したがって、侵入する者が両足で押圧部３を踏み込み得る場所、例えば、開閉部１０２が比較的広く形成されている場所、具体的には、はき出し窓、出窓、ハメ殺し窓、又はジャーロージー窓の各近傍に第一実施例の防犯装置１を配設すると、侵入者による屋内への侵入を確実に防ぐことができる。  
【実施例２】
【００３０】
図４は、図１に示した第二実施例の防犯装置の概念破断面図であって、該防犯装置の動作状態を示す図である。特に図４（ａ）は蓋を開けた様子を示す図であり、図４（ｂ）は初期状態の様子を示す図であり、図４（ｃ）は押圧部が押圧された様子を示す図である。  
また図５は、第二実施例の防犯装置の概念拡大斜視図であって、特に蓋を開けた様子を示す図である。なお、図４及び図５では、図１乃至図３と同一部分を同一符号で示している。  
図４（ａ）及び図５で示すように、第二実施例の防犯装置５１は押圧部３と、スイッチ６と、スイッチ載置部５と、押圧部３とスイッチ載置部５との間に介在された付勢手段１１と、図示せぬ警報装置、図示せぬ威嚇発光装置と、図示せぬ侵入通報装置とを具えている。
【００３１】
このうち、付勢手段１１は、図５で示すように、スイッチ６に対して一側に一対配設されている。また、一対の付勢手段１１は、スイッチ６を挟んで配設されている。また、この各付勢手段１１は、コイルスプリングから構成されている。
【００３２】
また各付勢手段１１の両端には、上記ワッシャパネル１０（図３）に替えて、六角ネジ２０が係合している。なお、該係合は、六角ネジ２０のネジ部を付勢手段１１に嵌挿させてなり、またこの係合によって、六角ネジ２０の頭部は付勢手段１１から露出する。
【００３３】
また、各付勢手段１１の一端に係合する六角ネジ２０は、スイッチ載置部５に対し固定されている。また、各付勢手段１１の他端に係合する六角ネジ２０は固定されていない。  
また、押圧部３を配設している蓋体４は、スイッチ６に対して他側７ａに位置する凹部７に、軸１８を介して回動自在に支承されている。
【００３４】
なお、この第二実施例の防犯装置５１は、図１で示すように、スイッチ６に対し前記他側７ａの凹部７が前記一側よりも開閉部１０２に近くなるように配置される。  
なお、上記したスイッチ６、スイッチ載置部５、図５のケーブル１２、１４、１５、１６、前記警報装置、前記威嚇発光装置および前記侵入通報装置の各構造については、第一実施例のものとそれぞれ同一であるので、ここでは説明を省略する。
【００３５】
このような構造の第二実施例の防犯装置５１では、図４（ａ）の蓋体４を軸１８を中心に凹部７に対し回転させると、蓋体４が凹部７を覆う。
【００３６】
次に、蓋体４の上に土を被せると、初期状態を示す図４（ｂ）のように、蓋体４又は押圧部３は、屋外の地面１０５下に配置される。
【００３７】
また、この初期状態において、スイッチ６は押圧部３の鉛直下方に配設されている。
【００３８】
また、各付勢手段１１は六角ネジ２０を介して押圧部３を付勢している。また、各付勢手段１１は、押圧部３を鉛直上方に向け付勢している。
【００３９】
この初期状態において、図４（ｃ）で示すように、３０Ｋｇ以上の加重が鉛直上方から押圧部３に加えられると、付勢手段１１の付勢力に抗し、押圧部３が鉛直上方から押圧されて鉛直下方に移動してスイッチ６を押圧し、これにより該スイッチ６は、ケーブル１４を介して前記警報装置を駆動するとともに、ケーブル１５を介して前記威嚇発光装置を駆動する。そしてこの警報装置の駆動により、該警報装置は屋外に向け警報音を発音する。また前記威嚇装置の駆動により、該威嚇発光装置は、屋外に向け発光する。また、上述した押圧によるスイッチ６の駆動により、前記侵入通報装置も駆動し、これにより屋内に向け発音がされる。
【００４０】
なお、侵入者による押圧部３の踏み込みが解除された場合、すなわち押圧部３への加重が解除された場合には、スイッチ６の押圧が解除され、これにより防犯装置１は初期状態に復帰する。なお、この初期状態への復帰により前記警報装置の発音、前記威嚇発光装置の発光及び前記侵入通報装置の発音は解除される。
【００４１】
したがって、この第二実施例の防犯装置５１では、第一実施例の防犯装置１と同様に、侵入者による建造物１０１の屋内への侵入を防止する防犯装置において、屋外地面１０５下に配設される押圧部３と、該押圧部３の鉛直下方に配設されるスイッチ６と、該スイッチ６を載置するスイッチ載置部５と、押圧部３とスイッチ載置部５との間に介在され、押圧部３を鉛直上方に向け付勢する付勢手段１１と、スイッチ６に連結され屋外に向け警告音を発する警報装置と、スイッチ６に連結され屋外に向け威嚇光を発する威嚇発光装置と、スイッチ６に連結され屋内に向け通報音を発する侵入通報装置とを具え、押圧部３は鉛直上方から押圧されると付勢手段１１の付勢力に抗して鉛直下方に移動してスイッチ６を押圧し、該押圧によりスイッチ６は前記警報装置、前記威嚇発光装置及び前記侵入通報装置を駆動するようにしたから、侵入する者は防犯装置５１を回避することができず、その押圧部３を踏み込むこととなり、またこの踏み込みにより、該侵入する者が建造物１０１に達する前に、該侵入する者への警告及び威嚇、及び建造物１０１の居住者への通報を行うことができる。そのため、侵入者による屋内への侵入を未然にかつ確実に防止するとともに、建造物１０１の開閉部１０２の損傷を可及的に防止することができる。
【００４２】
また、第二実施例の防犯装置５１では、第一実施例の防犯装置１と同様に、３０Ｋｇ以上の加重が鉛直上方から押圧部３に加えられた場合に付勢手段１１の付勢力に抗し押圧部３がスイッチ６を押圧することとしている。この３０Kｇ以上とは、人間の動体活動による行動力学負荷体重比が基にした値である。すなわち、人間が侵入する場合、その体重移動によって、押圧部３は３０Kｇ以上の加重が鉛直上方から加わると考えられる。  
したがって、押圧部３の踏み込みによる体重移動によって、通常、３０Kｇより少ない加重しか与えることのない猫などの小動物（人間より体重の軽い小動物）によって、誤ってスイッチ６が駆動して、前記警報装置による発音、前記威嚇発光装置による発光及び前記侵入通報装置による発音がされることは可及的に防止される。
【００４３】
また、この第二実施例の防犯装置５１では、付勢手段１１の両端に六角ネジ２０を係合させ、付勢手段１１が六角ネジ２０を介して押圧部３を付勢するようにしているから、六角ネジ２０を有効活用して防犯装置５１を製造でき、製造コストを低下させることができる。
【００４４】
また、この第二実施例の防犯装置５１では、付勢手段１１は、スイッチに対して一側に一対配設され、しかも蓋体４は、前記スイッチ６に対して他側に位置する凹部７に、軸１８を介して回動自在に支承されているから、特に侵入者が片足のみによって押圧部３をスイッチ６に対し前記一側で踏み込んだ場合には、その踏み込みによって確実にスイッチ６を押圧することができ、これにより確実に前記警報装置、威嚇発光装置及び侵入通報装置がそれぞれ駆動されることとなる。  
したがって、特に侵入者が片足のみによって押圧部３をスイッチ６に対し前記一側で踏み込み得る場所、例えば、侵入者がつま先で体重移動する場所でなおかつ狭い場所、具体的には、勝手口や二階ベランダの各近傍、ブロック塀の廻り、庭木の根廻り、縦トヨの廻り、又は隣家との境廻りに第二実施例の防犯装置５１を配設すると、確実に侵入者による屋内への侵入を防ぐことができる。  
なお、第一実施例の防犯装置１又は第二実施例の防犯装置５１を、屋外に配置する場合、それぞれ配設する数については特に限定がなく、必要に応じて配設数を調整するようにすればよい。
【図面の簡単な説明】
【００４５】
【図１】図１は、建造物とその周辺に配置された第一実施例の防犯装置と第二実施例の防犯装置とを示す概念斜視図である。
【図２】図２は、図１に示した第一実施例の防犯装置のＡＡ概念断面図であって、該防犯装置の動作状態を示す図である。特に図２（ａ）は初期状態の様子を示す図であり、図２（ｂ）は押圧部が押圧された様子を示す図である。
【図３】図３は、第一実施例の防犯装置の分解組み立て拡大斜視図である。
【図４】図４は、第二実施例の防犯装置の概念断面図である。特に、図４（ａ）は蓋を開けた様子を示す図であり、図４（ｂ）は初期状態を示す図であり、図４（ｃ）は押圧部が押圧された様子を示す図である。
【図５】図５は、第二実施例の防犯装置の概念拡大斜視図であって、特に蓋を開けた様子を示す図である。
【符号の説明】
【００４６】
１、５１…防犯装置
３…押圧部
４…蓋体
５…スイッチ載置部
６…スイッチ
７…凹部
１０…ワッシャパネル
１１…付勢手段
１８…軸
２０…六角ネジ
１０１…建造物
１０５…地面
【図１】
0003110309.tif 000003
【図２】
0003110309.tif 000004
【図３】
0003110309.tif 000005
【図４】
0003110309.tif 000006
【図５】
0003110309.tif 000007